(57)【要約】  【課題】  血液検査等によらずに、より簡易な方法で生化学検査値を推定し、あるいは健康リスクの評価や健康維持ないし健康回復のためのアドバイスを行うことができる健康情報提供システム及び健康情報提供プログラムを提供する。  【解決手段】  健康情報提供システム５０は、ユーザの体組成情報を取得する体組成取得部５４と、体組成情報に基づいて生化学検査値を推定する生化学検査値推定部５５と、生化学検査値又は生化学検査値に基づく健康情報を出力する出力部５８と、を備える。【選択図】  図４
2020162834.tif 000002
【特許請求の範囲】
【請求項１】
ユーザの体組成情報を取得する体組成取得部と、
前記体組成情報に基づいて生化学検査値を推定する生化学検査値推定部と、
前記生化学検査値又は前記生化学検査値に基づく健康情報を出力する出力部と、
を備えた、健康情報提供システム。
【請求項２】
前記ユーザの生体情報を取得する生体情報取得部をさらに備え、
前記生化学検査値推定部は、前記生体情報に基づいて前記生化学検査値を推定する、請求項１に記載の健康情報提供システム。
【請求項３】
前記生体情報取得部は、前記生体情報として、少なくとも前記ユーザの生体インピーダンスを取得し、
前記体組成取得部は、前記生体インピーダンスを用いた演算により、前記体組成情報を取得する、請求項２に記載の健康情報提供システム。
【請求項４】
前記生体情報取得部は、測定により前記生体インピーダンスを取得する、請求項３に記載の健康情報提供システム。
【請求項５】
前記体組成取得部は、前記体組成情報の入力を受け付けることにより、前記体組成情報を取得する、請求項１又は２に記載の健康情報提供システム。
【請求項６】
前記生体情報取得部は、前記生体情報として、少なくとも前記ユーザの身長、体重、年齢、性別の情報を取得する、請求項２から５のいずれかに記載の健康情報提供システム。
【請求項７】
前記生化学検査値に基づいて健康リスクを評価する健康リスク評価部をさらに備え、
前記出力部は、前記健康情報として前記健康リスクを出力する、請求項１から６のいずれかに記載の健康情報提供システム。
【請求項８】
前記生化学検査値に基づいて健康維持ないし健康回復に関するアドバイスを決定する健康アドバイス決定部をさらに備え、
前記出力部は、前記健康情報として前記アドバイスを出力する、請求項１から７のいずれかに記載の健康情報提供システム。
【請求項９】
前記生化学検査値推定部は、前記体組成情報を入力として前記生化学検査値を推定する学習モデルを用いて前記生化学検査値を推定する、請求項１から８のいずれかに記載の健康情報提供システム。
【請求項１０】
前記生化学検査値推定部は、前記体組成情報と前記生化学検査値との関係を規定したテーブルを参照して前記生化学検査値を推定する、請求項１から８のいずれかに記載の健康情報提供システム。
【請求項１１】
前記生化学検査値推定部は、実測により取得した前記ユーザの前記生化学検査値を実測値とし、前記学習モデルを用いて推定された前記生化学検査値を基準推定値とし、前記実測値と前記基準推定値とに基づいて前記学習モデルを調整する、請求項９に記載の健康情報提供システム。
【請求項１２】
前記生化学検査値推定部は、さらに、前記実測を行ったときからの経過時間にも基づいて前記学習モデルを調整する、請求項１１に記載の健康情報提供システム。
【請求項１３】
前記生化学検査値推定部は、さらに、前記実測値と推定された前記生化学検査値との差分にも基づいて前記学習モデルを調整する、請求項１１又は１２に記載の健康情報提供システム。
【請求項１４】
前記生化学検査値推定部は、複数の異なる時期の実測により取得された複数の前記実測値に基づいて前記学習モデルを調整する、請求項１１から１３のいずれかに記載の健康情報提供システム。
【請求項１５】
前記生化学検査値推定部は、複数回の推定によって得られた複数の前記生化学検査値を統計処理して前記基準推定値を決定する、請求項１１から１４のいずれかに記載の健康情報提供システム。
【請求項１６】
前記生化学検査値推定部は、実測により取得した前記ユーザの前記生化学検査値を実測値とし、前記学習モデルを用いて推定された前記生化学検査値を基準推定値とし、前記実測値と前記基準推定値とに基づいて、前記学習モデルにより推定された前記生化学検査値を調整する、請求項９に記載の健康情報提供システム。
【請求項１７】
前記生化学検査値推定部は、実測により取得した前記ユーザの前記生化学検査値を実測値とし、前記テーブルを参照して推定された前記生化学検査値を基準推定値とし、前記実測値と前記基準推定値とに基づいて、前記テーブルを参照して推定された前記生化学検査値を調整する、請求項１０に記載の健康情報提供システム。
【請求項１８】
ユーザの生体情報として生体インピーダンスを測定する生体インピーダンス測定部と、
前記生体インピーダンスに基づいて生化学検査値を推定する生化学検査値推定部と、
前記生化学検査値又は前記生化学検査値に基づく健康情報を出力する出力部と、
を備えた、健康情報提供システム。
【請求項１９】
前記生化学検査値推定部は、前記生体インピーダンスを入力として前記生化学検査値を推定する学習モデルを用いて又はテーブルを参照して前記生化学検査値を推定する、請求項１８に記載の健康情報提供システム。
【請求項２０】
コンピュータに、
ユーザの体組成情報を取得させ、
前記体組成情報に基づいて生化学検査値を推定させ、
前記生化学検査値又は前記生化学検査値に基づく健康情報を出力させる、
健康情報提供プログラム。
【請求項２１】
コンピュータに、
生体インピーダンスを測定する生体インピーダンス測定部を制御してユーザの生体情報として生体インピーダンスを取得させ、
前記生体インピーダンスに基づいて生化学検査値を推定させ、
前記生化学検査値又は前記生化学検査値に基づく健康情報を出力させる、
健康情報提供プログラム。
【発明の詳細な説明】
【技術分野】
【０００１】
本発明は、ユーザの健康情報を提供する健康情報提供システム及び健康情報提供プログラムに関する。
【背景技術】
【０００２】
従来、身長、体重、年齢、性別等の生体情報と測定により得られた人体の各部位の生体インピーダンスとに基づいて、体組成を計測する体組成計が知られている（例えば、特許文献１参照）。
【０００３】
一方、健康診断では、血液検査等の検査によってＨＤＬコレステロール、γ−ＧＴＰ、血糖等の生化学検査値を測定する。健康診断では、さらに、これらの生化学検査値と、生体情報と、喫煙習慣、アルコール摂取習慣等の生活習慣とに基づいて、健康リスクの評価や健康維持ないし健康回復のためのアドバイスが行われることがある。
【先行技術文献】
【特許文献】
【０００４】
【特許文献１】特開２０１７−２３３１１号公報
【発明の概要】
【発明が解決しようとする課題】
【０００５】
従来の体組成計では、個人内の体水分変化や体脂肪、筋肉の相対変化によって、その人の健康状態に具体的にどのような影響が出ているのか、測定結果を見ただけでは分からなかった。
【０００６】
また、生活習慣病や動脈硬化等の疾病リスクは、生活状態の変化に起因する体内の変化や体組成変化により、本来は日々変化して積み重なっていくものである。しかし、年１回の健康診断の結果や人間ドック等の検査を受けなければ、体内のリスクの変化が分からず気付く機会がないため、疾病への対応が手遅れになるおそれがあり、さらに疾病リスクに対処する意識づけもされてこなかった。
【０００７】
また、過去の検診成績傾向と生活スタイルについての質問紙調査とを組み合わせた健康リスク評価やモデル計算による将来リスクの予測は、健診サービス等で顕在化しつつある。しかし、過去データの管理や質問紙回答の煩わしさがある上、主観が入るため評価の客観性に欠ける欠点もある。すなわち、従来の将来リスクの予測では、利便性、簡便性、客観性に欠ける。さらに、質問への返答が主体となるので、結局は自覚がなければ身体の変調を捉えることはできなかった。
【０００８】
本発明は、血液検査等によらずに、より簡易な方法で生化学検査値を推定し、あるいは健康リスクの評価や健康維持ないし健康回復のためのアドバイスを行うことができる健康情報提供システム及び健康情報提供プログラムを提供する。
【課題を解決するための手段】
【０００９】
本開示は上記課題を解決するために以下の技術的手段を採用する。特許請求の範囲及びこの項に記載した括弧内の符号は、ひとつの態様として下記の実施の形態に記載の具体的手段との対応関係を示す一例であって、本発明の技術的範囲を限定するものではない。
【００１０】
本願の発明者は、体組成情報と健康診断で測定する生化学検査値との間に相関関係があることを見出して、本願発明に至った。
【００１１】
上記目的を達成するために、本発明の健康情報提供システムは、ユーザの体組成情報を取得する体組成取得部と、体組成情報に基づいて生化学検査値を推定する生化学検査値推定部と、生化学検査値又は生化学検査値に基づく健康情報を出力する出力部と、を備える。
【００１２】
この構成により、生化学検査値推定部は、体組成情報に基づいて生化学検査値を推定するので、血液検査等のコストが比較的大きい検査を行うことなく簡易に生化学検査値を得ることができる。体組成情報は、例えば、生体インピーダンス法による体組成計ないし体組成計測機能付きの体重計を用いて取得してもよいし、キャリパー法による皮下脂肪厚測定等を用いて取得してもよい。ユーザは、体組成を測定するのと同様の手順によって生化学検査値の推定値を知ることができる。
【００１３】
ユーザの生体情報を取得する生体情報取得部をさらに備え、生化学検査値推定部は、生体情報に基づいて生化学検査値を推定してよい。
【００１４】
この構成により、生体情報と体組成情報とに基づいて、生化学検査値を精度よく推定できる。
【００１５】
生体情報取得部は、生体情報として、少なくともユーザの生体インピーダンスを取得し、体組成取得部は、生体インピーダンスを用いた演算により、体組成情報を取得してよい。
【００１６】
この構成により、体組成情報は生体インピーダンスを用いて演算をすることにより取得できる。
【００１７】
生体情報取得部は、測定により生体インピーダンスを取得してよい。
【００１８】
生体インピーダンスを測定することは比較的容易であり、よって、この構成により、容易に体組成情報を取得できる。
【００１９】
体組成取得部は、体組成情報の入力を受け付けることにより、体組成情報を取得してよい。
【００２０】
この構成により、健康情報提供システムが生体インピーダンスを測定する機能を備えていない場合でも、体組成情報に基づいて生化学検査値を推定できる。
【００２１】
生体情報取得部は、生体情報として、少なくともユーザの身長、体重、年齢、性別の情報を取得してよい。
【００２２】
この構成により、生化学検査値推定部は、ユーザの体組成情報のみならず、ユーザの身長、体重、年齢、性別を含む生体情報にも基づいて、有効に生化学検査値を推定できる。なお、生体情報取得部は、測定によって体重の情報を取得してよい。
【００２３】
生化学検査値に基づいて健康リスクを評価する健康リスク評価部をさらに備え、出力部は、健康情報として健康リスクを出力してよい。
【００２４】
この構成により、生化学検査値に基づいて評価された健康リスクを健康情報として提供でき、推定された生化学検査値のみでは健康リスクを理解できないユーザに対して有用な情報を提供できる。
【００２５】
生化学検査値に基づいて健康維持ないし健康回復に関するアドバイスを決定する健康アドバイス決定部をさらに備え、出力部は、健康情報としてアドバイスを出力してよい。
【００２６】
この構成により、生化学検査値に基づいて決定された健康維持ないし健康回復に関するアドバイスを健康情報として提供でき、推定された生化学検査値のみではどのような対処をしてよいか分からないユーザに対して有用な情報を提供できる。
【００２７】
生化学検査値推定部は、体組成情報を入力として生化学検査値を推定する学習モデルを用いて生化学検査値を推定してよい。
【００２８】
この構成により、ユーザの体組成情報を学習モデルに入力することで、その体組成情報に対応する生化学検査値を得ることができる。なお、学習モデルは、機械学習等の人工知能によるものでも、それ以外の統計的手法により得られるものでもよく、例えば、複数組の体組成情報と生化学検査値との組み合わせを学習用データとして学習して得られるモデルでもよいし、例えば、複数種類の体組成情報とある生化学検査値と関係を規定した回帰式又はアルゴリズムでもよいし、あるいは、複数種類の体組成情報を入力すると、ある生化学検査値を出力するニューラルネットワークでもよい。
【００２９】
生化学検査値推定部は、体組成情報と生化学検査値との関係を規定したテーブルを参照して生化学検査値を推定してよい。
【００３０】
この構成により、複雑な演算をしなくても簡易かつ迅速に体組成情報に対する生化学検査値を推定できる。
【００３１】
生化学検査値推定部は、実測により取得したユーザの生化学検査値を実測値とし、学習モデルを用いて推定された生化学検査値を基準推定値とし、実測値と基準推定値とに基づいて学習モデルを調整してよい。
【００３２】
この構成により、実測値（例えば、実際の健康診断において血液検査等によって測定された値）に基づいて学習モデルを調整して用いることができ、個人差によって学習モデルの推定が合わない場合にも、そのような個人差の影響を小さくできる。例えば、ある生化学検査値の実測値が１００であるが、生化学検査値推定部で推定された生化学検査値が９０である場合には、この９０を基準推定値として、元の値より１０（＝１００−９０）だけ大きい値が出るように学習モデルを調整できる。このように学習モデルを調整すると、実測値を踏まえて生化学検査値を推定でき、また、実測値を基準として体組成や生体情報の変化に応じた生化学検査値を推定できる。なお、このために、基準推定値は、実測時と同時期のユーザの生体情報及び体組成情報を用いて推定された生化学検査値であることが望ましい。例えば、基準推定値は、実測時と最も近い日時におけるユーザの生体情報を用いて推定された生化学検査値でよい。また、実測時と同時期の生体情報及び体組成情報は、実測時前に推定されたものでよく、あるいは実測後に推定されたものでもよい。
【００３３】
生化学検査値推定部は、さらに、実測を行ったときからの経過時間にも基づいて学習モデルを調整してよい。
【００３４】
この構成により、例えば、時間の経過に伴って元の学習モデルに近づくように学習モデルを調整できる。
【００３５】
生化学検査値推定部は、さらに、実測値と推定された生化学検査値との差分にも基づいて学習モデルを調整してよい。
【００３６】
この構成により、例えば、実測値と推定された生化学検査値との差分が大きくなるほど元の学習モデルに近づくように学習モデルを調整できる。
【００３７】
生化学検査値推定部は、複数の異なる時期の実測により取得された複数の実測値に基づいて学習モデルを調整してよい。
【００３８】
この構成により、複数の実測値がある場合に、それらを用いて学習モデルを調整できる。例えば、年に一度の健康診断の結果（実測値）が数年にわたって蓄積されている場合には、それらの複数の実測値を用いて学習モデルを調整できる。このとき、新しい実測値が重視されるように重みづけをしてもよい。
【００３９】
生化学検査値推定部は、複数回の推定によって得られた複数の生化学検査値を統計処理して基準推定値を決定してよい。
【００４０】
この構成により、適切な基準推定値を得ることができる。すなわち、１回の推定によって得られた生化学検査値を用いて基準推定値を得るときと比較して、複数回の推定によって得られた生化学検査値を統計処理することによって、ばらつきが抑えられた精度の高い基準推定値を得ることができる。ここで、統計処理としては、単純な平均処理をしてもよいし、外れ値を除外した上で平均処理をしてもよい。
【００４１】
生化学検査値推定部は、実測により取得したユーザの生化学検査値を実測値とし、学習モデルを用いて推定された生化学検査値を基準推定値とし、実測値と基準推定値とに基づいて、学習モデルにより推定された生化学検査値を調整してよい。
【００４２】
この構成により、実測値に基づいて、学習モデルが調整されるのではなく、学習モデルにより推定された生化学検査値が調整される。この調整を行うための調整パラメータは、上記と同様に、時間の経過に従って小さくしていってよいし、実測値からの差分が大きくなるほど小さくしてよいし、複数の実測値に基づいて決定してもよい。
【００４３】
生化学検査値推定部は、実測により取得したユーザの生化学検査値を実測値とし、テーブルを参照して推定された生化学検査値を基準推定値とし、実測値と基準推定値とに基づいて、テーブルを参照して推定された生化学検査値を調整してよい。
【００４４】
この構成によっても、実測値に基づいて、推定された生化学検査値が調整される。この調整を行うための調整パラメータも、上記と同様に、時間の経過に従って小さくしていってもよいし、実測値からの差分が大きくなるほど小さくしてよいし、複数の実測値に基づいて決定してもよい。
【００４５】
上記目的を達成するために、本発明の健康情報提供システムは、ユーザの生体情報として生体インピーダンスを測定する生体インピーダンス測定部と、生体インピーダンスに基づいて生化学検査値を推定する生化学検査値推定部と、生化学検査値又は生化学検査値に基づく健康情報を出力する出力部と、を備える。
【００４６】
この構成によれば、生体インピーダンスによって生化学検査値を推定することができ、簡易に生化学検査値を推定できる。すなわち、生体インピーダンスを取得可能な装置として、体組成計ないし体組成計測機能付きの体重計を用いることができ、ユーザは、体組成を測定するのと同様の手順によって生化学検査値の推定値を得ることができる。
【００４７】
生化学検査値推定部は、生体インピーダンスを入力として生化学検査値を推定する学習モデルを用いて生化学検査値を推定してよい。
【００４８】
この構成により、学習モデルを用いて生体インピーダンスから生化学検査値が推定される。
【００４９】
上記目的を達成するために、本発明の健康情報提供プログラムは、コンピュータに、ユーザの体組成情報を取得させ、体組成情報に基づいて生化学検査値を推定させ、生化学検査値又は生化学検査値に基づく健康情報を出力させる。
【００５０】
この構成により、生化学検査値推定部は、体組成情報に基づいて生化学検査値を推定するので、血液検査等のコストが比較的大きい検査を行うことなく簡易に生化学検査値を得ることができる。
【００５１】
上記目的を達成するために、本発明の健康情報提供プログラムは、コンピュータに、生体インピーダンスを測定する生体インピーダンス測定部を制御してユーザの生体情報として生体インピーダンスを取得させ、生体インピーダンスに基づいて生化学検査値を推定させ、生化学検査値又は生化学検査値に基づく健康情報を出力させる。
【００５２】
この構成によれば、生体インピーダンスによって生化学検査値を推定することができ、簡易に生化学検査値を推定できる。例えば、生体インピーダンスから演算により求められる体組成情報によって生化学検査値を推定するようにシステム又はプログラムを構成する場合は、確立している体組成情報の演算法を用いることを活かした生化学検査値の推定が可能になるし、生体インピーダンスから直接生化学検査値を推定するようにシステム又はプログラムを構成する場合も、体組成計ないし体組成計測機能付きの体重計と共通の生体インピーダンス取得装置を用いることができる。
【図面の簡単な説明】
【００５３】
【図１】本発明の第１の実施の形態に係る健康情報提供システムを示す図である。
【図２】本発明の第１の実施の形態に係る計測装置の使用態様を示す図である。
【図３】本発明の第１の実施の形態に係る健康情報提供システムのハードウェア構成を示すブロック図である。
【図４】本発明の第１の実施の形態に係る健康情報提供システムの機能的な構成を示すブロック図である。
【図５】本発明の第１の実施の形態に係る生化学検査値であるＨＤＬコレステロール（縦軸）と体組成情報である脂肪量（ｋｇ）（横軸）との相関関係を示すグラフである。
【図６】本発明の第１の実施の形態に係るＨＤＬコレステロール（縦軸）と体組成情報である内臓脂肪量（ｃｍ２）（横軸）との相関関係を示すグラフである。
【図７】本発明の第１の実施の形態に係る複数種類の体組成情報を用いた推定の精度を示すグラフである。
【図８】本発明の第１の実施の形態に係る体内リスク評価のイメージ図である。
【図９】本発明の第１の実施の形態に係る学習モデルの調整を模式的に示すグラフである。
【図１０】本発明の第１の実施の形態に係る実測を行ったときからの経過時間にも基づいて学習モデルを調整する例を説明するグラフである。
【図１１】本発明の第１の実施の形態に係る実測値と推定値との差分に基づいて学習モデルを調整する例を説明するグラフである。
【図１２】本発明の第１の実施の形態に係る実測値と推定値との差分に基づいて調整度合いが小さくなる学習モデルの例を説明するグラフである。
【図１３】本発明の第１の実施の形態に係る数の異なる時期の実測により取得された複数の実測値に基づいて学習モデルを調整する例を示すグラフである。
【図１４】本発明の第１の実施の形態に係る複数回の推定によって得られた複数の生化学検査値を統計処理して基準推定値を決定する例を示すグラフである。
【図１５】本発明の第２の実施の形態に係る実測値と推定値とに基づいて学習モデルにより推定された生化学検査値を調整する例を示すグラフである。
【図１６】本発明の第３の実施の形態に係る健康情報提供システムの機能的な構成を示すブロック図である。
【図１７】本発明の第４の実施の形態に係る健康情報提供システムの機能的な構成を示すブロック図である。
【発明を実施するための形態】
【００５４】
以下、図面を参照して本発明の実施の形態を説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００５５】
（第１の実施の形態）
図１は、本発明の第１の実施の形態の健康情報提供システム５０を示す図である。また、図２は、本発明の第１の実施の形態の計測装置１０の使用態様を示す図である。本実施の形態では、健康情報提供システム５０は、計測装置１０と情報処理端末（以下、「ユーザ端末」という。）２０とからなる。計測装置１０は、生体インピーダンス法（Bioelectrical Impedance Analysis：ＢＩＡ）という測定原理を応用して体内に流される微弱な電流を測定することで、体脂肪等の体組成を測定可能な体組成計である。
【００５６】
計測装置１０は、本体部１１とハンドルユニット１２とを備えている。本体部１１とハンドルユニット１２とは、接続コード１３により電気的に接続されている。ハンドルユニット１２は、本体部１１に設けられた収容部１４に収容可能である。ハンドルユニット１２が収容部１４に収容されるときは、接続コード１３は本体部１１内部の図示しない巻取り機構により巻き取られて、本体部１１の内部に収容される。
【００５７】
本体部１１は、上面の右側に通電用電極１１１Ｒ及び測定用電極１１２Ｒを備え、上面の右側に通電用電極１１１Ｌ及び測定用電極１１２Ｌを備えている。
【００５８】
ハンドルユニット１２は、概略棒状の形状を有し、その中央にはハンドル本体１５を備え、ハンドル本体１５の両側にグリップ１６Ｒ及び１６Ｌが設けられている。ハンドル本体１５には、表示パネル１７及び操作ボタン１８Ａ〜１８Ｄが設けられている。また、グリップ１６Ｒは、通電用電極１６１Ｒ及び測定用電極１６２Ｒを備え、グリップ１６Ｌは、通電用電極１６１Ｌ及び測定用電極１６２Ｌを備えている。
【００５９】
図２に示す使用態様において、ユーザは、裸足で本体部１１の上に乗って直立し、両腕を伸ばした状態でハンドルユニット１２を両手で握ることで、体組成の計測を行うことができる。このとき、通電用電極１１１Ｒには右足の指の付け根が接触し、測定用電極１１２Ｒには右足のかかとが接触し、通電用電極１１１Ｌには左足の指の付け根が接触し、測定用電極１１２Ｌには左足のかかとが接触し、通電用電極１６１Ｒには右手の指が接触し、測定用電極１６２Ｒには右手の掌が接触し、通電用電極１６１Ｌには左手の指が接触し、測定用電極１６２Ｌには左手の掌が接触する。
【００６０】
また、本体部１１は、内部に体重を計測するためのロードセルを備えている。図２に示すように本体部１１に乗ったユーザの体重を測定できる。ロードセルは荷重に応じて変形する金属部材の起歪体と、起歪体に貼られる歪みゲージとによって構成される。ユーザが計測装置１０の上に乗ると、ユーザの荷重によってロードセルの起歪体が撓んで歪ゲージが伸縮する。歪みゲージの抵抗値（出力値）は、その伸縮に応じて変化する。計測装置１０は、荷重がかかっていないときのロードセルの出力値（ゼロ点）と荷重がかかったときの出力値との差から体重を演算する。なお、ロードセルを用いた体重の測定に関する構成は、一般の体重計と同様の構成を用いればよい。
【００６１】
ユーザ端末２０は、アプリケーションプログラムを実行可能なコンピュータ、フラッシュメモリ等の内部ストレージ、タッチパネル、各種のコネクタ等を備えた携帯型の端末である。また、ユーザ端末２０は、インターネットに接続するための無線通信デバイス、近くの他のデバイスに接続するための近距離通信デバイスを備えている。計測装置１０は、近くの他のデバイスに接続するための近距離通信デバイスを備えている。計測装置１０とユーザ端末２０とは、互いにペアリングをすることで近距離無線通信（例えば、Bluetooth（登録商標））により各種の情報を送受信できる。
【００６２】
図３は、本発明の第１の実施の形態に係る健康情報提供システム５０のハードウェア構成を示すブロック図である。健康情報提供システム５０は、入力部５０１と、体重測定部５０２と、生体インピーダンス測定部５０３と、記憶部５０４と、制御部５０５と、出力部５０６とを備えている。これらの構成要素のうち、体重測定部５０２及び生体インピーダンス測定部５０３は、計測装置１０に設けられるが、上記のように、計測装置１０とユーザ端末２０とは、互いに通信できるので、入力部５０１、記憶部５０４、制御部５０５、出力部５０６は、計測装置１０及びユーザ端末２０のいずれに設けられてもよく、あるいは両方に設けられてもよい。
【００６３】
入力部５０１は、ユーザの操作入力を受け付ける。本実施の形態では、入力部５０１には、特に、ユーザごとに、身長、年齢、性別を入力する。計測装置２０の操作ボタン１８Ａ〜１８Ｄ、ユーザ端末２０のタッチパネルは、いずれも入力部５０１となり得る。体重測定部５０２は、計測装置１０のロードセルがこれに相当する。
【００６４】
また、生体インピーダンス測定部５０３は、計測装置１０が備える各電極１１１Ｒ、１１１Ｌ、１１２Ｒ、１１２Ｌ、１６１Ｒ、１６１Ｌ、１６２Ｒ、１６２Ｌと、各通電用電極１６１Ｒ、１６１Ｌ、１１１Ｒ、１１１Ｌと、それらの電極に微弱の交流定電流を流す電流制御回路を備えている。
【００６５】
記憶部５０４は、入力部５０１から入力された情報、体重測定部５０２にて測定された体重、生体インピーダンス測定部５０３で測定された生体インピーダンス、制御部５０５で演算された体組成等をユーザごとに記憶する。また、記憶部５０４は、体重や体組成を測定するための測定プログラムや本実施の形態の健康情報提供プログラムも記憶し、それらのプログラムによって生成されたデータやそれらのプログラムに使用する各種の情報（例えば、後述する学習モデル）も記憶する。
【００６６】
制御部５０５は、測定用プログラムに従って健康情報提供システム５０の各部を制御するとともに、健康情報提供プログラムに従って、入力部５０１に入力された情報、体重測定部５０２で測定された体重、生体インピーダンス測定部５０３で測定された生体インピーダンスに基づいて体組成を算出したり、健康情報を求めたりする。出力部５０６は、測定装置２０の表示パネル１７やユーザ端末２０のタッチパネルがこれに相当する。出力部５０６は、制御部５０５の制御に従って、入力部５０１に情報を入力するための画面や、制御部５０５を制御するための画面や、制御部５０５による演算の結果を示す画面等を表示する。
【００６７】
図４は、本発明の第１の実施の形態に係る健康情報提供システム５０の機能的な構成を示すブロック図である。健康情報提供システム５０では、制御部５０５が各種のプログラムを実行することにより各種の機能が実現される。図４では、特に、本実施の形態の健康情報提供プログラムを実行することにより実現される機能を示している。健康情報提供システム５０は、身長・年齢・性別取得部５１と、体重取得部５２と、生体インピーダンス取得部５３と、体組成取得部５４と、生化学検査値推定部５５と、健康リスク評価部５６と、健康アドバイス決定部５７と、出力部５８とを備えている。
【００６８】
身長・年齢・性別取得部５１は、入力部５０１にてユーザの操作入力を受け付けることで、ユーザの生体情報である身長、年齢、性別の情報を取得する。体重取得部５２は、体重測定部５０２にてユーザの体重を測定することで、ユーザの生体情報である体重を取得する。生体インピーダンス取得部５３は、ユーザの生体情報である全身及び各身体部位の生体インピーダンスを測定する。
【００６９】
生体インピーダンス取得部５３は、例えば、以下のようにして生体インピーダンスを測定する。
（１）全身の生体インピーダンスの測定は、通電用電極１６１Ｌ及び通電用電極１１１Ｌを用いて電流を供給し、左手、左腕、胸部、腹部、左脚部、左足を流れる電流経路において、その左手に接触している測定用電極１６２Ｌと左足に接触している測定用電極１１２Ｌとの間の電位差を測定する。
（２）右脚の生体インピーダンスの測定は、通電用電極１６１Ｒ及び通電用電極１１１Ｒを用いて電流を供給し、右手、右腕、胸部、腹部、右脚部、右足を流れる電流経路において、その左足に接触している測定用電極１１２Ｌと右足に接触している測定用電極１１２Ｒとの間の電位差を測定する。
（３）左脚の生体インピーダンスの測定は、通電用電極１６１Ｌ及び通電用電極１１１Ｌを用いて電流を供給し、左手、左腕、胸部、腹部、左脚部、左足を流れる電流経路において、その左足に接触している測定用電極１１２Ｌと右足に接触している測定用電極１１２Ｒとの間の電位差を測定する。
（４）右腕の生体インピーダンスの測定は、通電用電極１６１Ｒ及び通電用電極１１１Ｒを用いて電流を供給し、右手、右腕、胸部、腹部、右脚部、右足を流れる電流経路において、その左手に接触している測定用電極１６２Ｌと右手に接触している測定用電極１６２Ｒとの間の電位差を測定する。
（５）左腕の生体インピーダンスの測定は、通電用電極１６１Ｌ及び通電用電極１１１Ｌを用いて電流を供給し、左手、左腕、胸部、腹部、左脚部、左足を流れる電流経路において、その左手に接触している測定用電極１６２Ｌと右手に接触している測定用電極１６２Ｒとの間の電位差を測定する。
【００７０】
このようにして、生体インピーダンス取得部５３は、各通電用電極からユーザの身体の所定部位に交流定電流を流し、この電流経路に生じる電位差を測定する。そして、このような電流及び電位差の各値に基づいて、ユーザの全身又は各身体部位の生体インピーダンスを算出する。生体インピーダンスの測定に関する構成は、一般の体組成計と同様の構成を用いればよい。なお、ここで、全身及び各身体部位のそれぞれについての生体インピーダンスは、基準周波数（例えば、５０ｋＨｚ）の交流定電流を流したとき、高周波数（例えば、２５０ｋＨｚ）の交流定電流を流したとき、低周波数（例えば、５ｋＨｚ）の交流定電流を流したときのそれぞれに対して求められる。
【００７１】
なお、身長・年齢・性別取得部５１は操作入力によって生体情報を取得するものであり、体重取得部５２及び生体インピーダンス取得部５３は、測定によって生体情報を取得するものである。しかし、いずれもユーザの生体情報を取得するものであるから、これらを合わせて生体情報取得部ともいう。
【００７２】
体組成取得部５４は、身長・年齢・性別取得部５１で取得した身長、年齢、性別、体重取得部５２で取得した体重、及び生体インピーダンス取得部５３で取得した生体インピーダンスを含む生体情報を用いた演算により、ユーザの体組成情報を取得する。体組成取得部５４は、生体情報を所定の回帰式に適用して演算をすることにより、脂肪率、脂肪量、除脂肪量、筋肉量、内臓脂肪量、内臓脂肪レベル、内蔵脂肪面積、皮下脂肪量、基礎代謝量、骨量、体水分率、ＢＭＩ（Body Mass Index）、細胞内液量、細胞外液量等の体組成情報を取得する。体組成情報の演算に関する構成も、一般の体組成計と同様の構成を用いることができる。
【００７３】
生化学検査値推定部５５は、身長・年齢・性別取得部５１で取得した身長、年齢、性別、体重取得部５２で取得した体重、及び生体インピーダンス取得部５３で取得した生体インピーダンスを含む生体情報と、体組成取得部５４で算出された体組成情報とに基づいて生化学検査値を推定する。ここで、生化学検査値とは、健康診断における生化学検査のいずれかの検査項目をいう。
【００７４】
例えば、人間ドック学会の平成３０年度一日ドック基本検査項目表によれば、生化学検査として、総蛋白、アルブミン、クレアチニン、ｅＧＦＲ、尿酸、総コレステロール、ＨＤＬコレステロール、ＬＤＬコレステロール、Ｎｏｎ−ＨＤＬコレステロール、中性脂肪、総ビリルビン、ＡＳＴ（ＧＯＴ）、ＡＬＴ（ＧＰＴ）、γ−ＧＴ（γ−ＧＴＰ）、ＡＬＰ、血糖（空腹時）、ＨｂＡ１ｃがある。
【００７５】
生化学検査値推定部５５が推定を行う生化学検査は、これに限られず、例えば、トリグリセライド（ＴＧ）、アミラーゼ、ＣＲＰ（C-Reactive Protein）、ＲＦ（Rheumatoid Factor）赤血球数、白血球数、ヘモグロビン量、ヘマトクリット値、ＭＣＶ（Mean Corpuscular Volume：平均赤血球容積）、ＭＣＨ（Mean Corpuscular Hemoglobin：平均赤血球ヘモグロビン量）、血小板数、等の検査でもよい。
【００７６】
生化学検査値推定部５５の動作の説明に先立って、生体情報及び体組成情報と生化学検査値との関係について説明する。
【００７７】
図５は、本発明の第１の実施の形態に係る生化学検査値であるＨＤＬコレステロール（縦軸）と体組成情報である脂肪量（ｋｇ）（横軸）との相関関係を示すグラフである。図５のグラフから分かるように、ＨＤＬコレステロールと脂肪量との間には、脂肪量が大きいほどＨＤＬコレステロールが小さいという直線的な相関があるようにみえるが、そのばらつきは比較的大きく、脂肪量からＨＤＬコレステロールを高精度に推定することは困難である。
【００７８】
図６は、本発明の第１の実施の形態に係るＨＤＬコレステロール（縦軸）と体組成情報である内臓脂肪量（ｃｍ２）（横軸）との相関関係を示すグラフである。図６のグラフから分かるように、ＨＤＬコレステロールと内臓脂肪量の二乗とは相関があるようにみえるが、この場合も相関は弱く、内臓脂肪量からＨＤＬコレステロールを推定するにはばらつきが大きすぎる。
【００７９】
図７は、本発明の第１の実施の形態に係る複数種類の体組成情報を用いた推定の精度を示すグラフである。図７のグラフの縦軸は実測ＨＤＬコレステロールであり、横軸は複数種類の体組成情報を用いて重回帰分析により推定した推定ＨＬＤコレステロールである。複数種類の体組成情報を用いて重回帰分析等の分析手法を行うことで、図７に示すように、精度よくＨＤＬコレステロールを推定ができる。
【００８０】
生化学検査値推定部５５は、多数組の生体情報及び体組成情報と生化学検査値との組について重回帰分析を行うことで得られた重回帰式を用いて、生体情報及び体組成情報から、生化学検査値を推定する。この重回帰式は、生体情報及び体組成情報を説明変数とし、生化学検査値を目的変数とするものである。また、この重回帰式は、多数組の生体情報及び体組成情報と生化学検査値との組を教師データとして学習をして得られた学習モデルということもできる。なお、学習モデルは重回帰式に限られず、例えば、決定木やニューラルネットワークを用いた学習により生成される学習モデルでもよい。また、年齢や性別は、例えば、説明変数とせずに、年齢及び性別ごとに異なる重回帰式を用意して用いてもよい。
【００８１】
生化学検査値推定部５５は、例えば、脂肪量（ｋｇ）をｘ１とし、内臓脂肪量（ｃｍ２）をｘ２としたときに、重回帰分析によりＨＤＬコレステロールＹを以下の重回帰式（１）で推定する。なお、生化学検査値の推定精度を高めるために、例えばｘ１、ｘ２の変化量及び／又は変化の方向を考慮し、それらも説明変数として加えた重回帰式を用いてＨＤＬコレステロールＹを推定してもよい。
Ｙ＝ａｘ１／ｘ２２＋ｂ  ・・・（１）
【００８２】
生化学検査値推定部５５は、複数種類の生化学検査値を推定するための上記のような重回帰式を複数記憶している。各生化学検査値を推定する際に用いる生体情報及び体組成情報は一般的には異なっている。生化学検査値推定部５５は、各生化学検査値を推定するための回帰式に、この回帰式に必要な生体情報及び体組成情報を代入することで、各生化学検査値を推定する。
【００８３】
健康リスク評価部５６は、生化学検査値推定部５５で推定された生化学検査値に基づいて、健康リスクを評価する。このために、健康リスク評価部５６には、生化学検査値の範囲と健康リスクとの関係を規定したテーブルが記憶されている。健康リスク評価部５６は、テーブルを参照することで、生化学検査値推定部５５にて推定された生化学検査値に対応する健康リスク評価を抽出する。健康リスク評価は、可能性のある病気や症候群（例えば、血圧）とその可能性（リスク）の度合い（例えば、I：良い、II：変化なし、III：悪い）との組み合わせからなり、健康リスク評価部５６は、例えば、「予測血圧変化  I（↓Ｇｏｏｄ！）」等の健康リスクの評価を行う。
【００８４】
健康アドバイス決定部５７は、生化学検査値推定部５５で推定された生化学検査値に基づいて、健康維持ないし健康回復に関するアドバイスを決定する。このため、健康アドバイス決定部５７には、生化学検査値の範囲と健康アドバイスとの関係を規定したテーブルが記憶されている。
【００８５】
健康アドバイス決定部５７は、テーブルを参照することで、生化学検査値推定部５５にて推定された生化学検査値に対応する健康アドバイスを抽出する。健康アドバイスは、可能性のある病気や症候群（例えば、メタボリックシンドローム）について、例えば、「＜体内変化評価コメント＞  体組成変化から推定されるメタボリックシンドロームリスクは低下傾向で、良い方向に変化している可能性が高いです。この調子で維持しましょう！」等のコメントをする。
【００８６】
出力部５８は、生化学検査値推定部５６で推定された生化学検査値を表示するとともに、健康リスク評価部５６で得られた健康リスク評価、健康アドバイス決定部５７で得られた健康アドバイスを健康情報として表示する。生化学検査値、健康リスク評価、健康アドバイスは切り替えてそれぞれ表示されてもよいし、いずれか一つのみが表示されてもよい。
【００８７】
この健康リスク評価と健康情報とを、図８を用いて具体的に説明する。図８は、本発明の第１の実施の形態に係る体内リスク評価のイメージ図である。図８の例では、健康リスク評価部５６で得られた健康リスク評価６０１は、「☆予測血圧変化・・・・・・・I（↓Good!）  健診データ有（HBP120 LBP80）」、「☆予測血中脂質変化・・・・・I（↓Good!）  健診データ有（TC LDL HDL TG）」、「☆予測肝機能変化・・・・・・II（−変化無）  健診データ有（GOT GPT γGTP）」、「☆予測血糖（糖代謝）リスク・I（↓良方向）  健診データ有（FBS HbA1c）」と表示されている。
【００８８】
また、図８の例では、健康アドバイス決定部５７で得られた健康情報６０２は、「◎メタボリックシンドロームの予防の必要性・・・低い（このまま維持）」、「＜体内変化評価コメント＞  体組成変化から推定されるメタボリックシンドロームリスクは低下傾向で、良い方向に変化している可能性が高いです。この調子で維持しましょう！」と表示されている。
【００８９】
以上のように、本実施の形態の健康情報提供システム５０では、生化学検査値推定部５５が、体組成情報に基づいて生化学検査値を推定するので、血液検査等のコストが比較的大きい検査を行うことなく簡易に生化学検査値を提供できる。
【００９０】
また、生体情報取得部は、生体インピーダンスを用いて演算をすることにより体組成情報を取得できる。既存の体組成計を用いることで生体インピーダンスは容易に測定できるので、健康情報提供システム５０は、容易に体組成情報を取得できる。さらに、生化学検査値推定部５５は、ユーザの体組成情報のみならず、ユーザの身長、体重、年齢、性別を含む生体情報にも基づいて、有効に生化学検査値を推定できる。
【００９１】
さらに、本実施の形態の健康情報提供システム５０によれば、健康リスク及び健康アドバイスを提供でき、推定された生化学検査値のみでは健康リスクを理解できないユーザや、推定された生化学検査値のみではどのような対処をしてよいか分からないユーザに対して有用な情報を提供できる。
【００９２】
上記の健康情報提供システム５０は、学習モデルを用いることにより、生体情報及び体組成情報から生化学検査値を推定できる。しかし、実際に血液検査等を含む健康診断を行って生化学検査値（実測値）が得られている場合がある。
【００９３】
この場合には、この実測値を用いて精度の高い推定ができる。すなわち、健康診断を例えば年１回のペースで受けている者は、次の健康診断までの１年間、健康診断の結果を踏まえて生体情報及び体組成情報から生化学検査値を推定することで、精度の高い推定を行える。以下では、生化学検査値の実測値がある場合の生化学検査値の推定について説明する。
【００９４】
生化学検査値推定部５５は、実測により取得したユーザの生化学検査値（実測値）と、学習モデルを用いて推定された生化学検査値（基準推定値）とに基づいて学習モデルを調整する。これにより、個人差によって学習モデルの推定が合わない場合にも、そのような個人差の影響を小さくできる。例えば、ある生化学検査値の実測値が１００であるが、生化学検査値推定部で推定された生化学検査値が９０である場合には、この９０を基準推定値として、元の値より１０（＝１００−９０）だけ大きい値が得られるように学習モデルを調整できる。
【００９５】
このように学習モデルを調整すると、実測値を踏まえて生化学検査値を推定でき、また、実測値を基準として体組成や生体情報の変化に応じた生化学検査値を推定できる。なお、このために、基準推定値は、実測時と同時期のユーザの生体情報及び体組成情報を用いて推定された生化学検査値であることが望ましい。例えば、基準推定値は、実測時と最も近い日時におけるユーザの生体情報を用いて推定された生化学検査値でよい。また、実測時と同時期の生体情報及び体組成情報は、実測時前に推定されたものでよく、あるいは実測後に推定されたものでもよい。
【００９６】
実測値は、ユーザによって入力部５０１より入力することができ、あるいは入力部５０１として通信モジュール又は通信インタフェイスを有する場合には、それらを通じて外部の機器から入力されてもよい。
【００９７】
図９は、本発明の第１の実施の形態に係る学習モデルの調整を模式的に示すグラフである。図９の例では、入力データとＨＤＬコレステロールの推定値とが線形の関係にある例を示しているが、実際には本実施の形態では上記のように重回帰分析を行っているため、説明変数は複数である。しかし、以下では、説明の便宜上、入力データを１変数として、入力データとＨＤＬコレステロールとが線形の相関関係にあるものとして説明をする。なお、上記の式（１）の場合には、ｘ＝（ｘ１／ｘ２２）を入力データとすることができる。
【００９８】
多数の学習データを学習した結果、図９に示す回帰式８１が得られているとする。また、健康診断を受けた結果、ＨＤＬコレステロールはＹｒであるとの結果が得られているとする。この健康診断と同時期に、本実施の形態の健康情報提供システム５０を利用して推定したＨＤＬコレステロールがＹｅであるとする。この場合には、健康診断と同時期に得られた入力データｘに対応するＨＤＬコレステロールはＹｒであるとすべきである。よって、生化学検査値推定部５５は、入力データｘに対してＨＤＬコレステロールＹｒが算出されるように学習モデルを調整する。本実施の形態では、具体的には、学習モデルのプロファイルを変更せずに、出力ＹｅがＹｒとなるように学習モデル（回帰式）をシフトする調整を行い、調整済学習モデル８２を設定する。
【００９９】
なお、入力データｘを得た時点と健康診断の時点とで体組成が変化していると上記の学習モデルの調整が正しくできなくなる。このため、健康診断をした時点からなるべく近い時点で得た入力データｘによって推定される生化学検査値を基準推定値とすることが望ましい。その一方で、生化学検査値は数日程度で大きく変化するものでもないため、必ずしも両時点が同日である必要はない。例えば、１週間程度の時間差で基準推定値の推定と健康診断による実測とを行うことが望ましい。
【０１００】
なお、図９の例では、学習モデルを調整するために元の学習モデルをシフトさせるが、このことは、元の学習モデルで推定されたＨＤＬコレステロールの値に、実測値と基準推定値との差分に基づく一定値を加減算することを意味している。すなわち、生化学検査値推定部５５は、元の学習モデルで推定された推定値に、実績値と基準推定値との差分に基づく一定値（差分自体でもよい）を加減算することで推定の精度を高めてもよい。
【０１０１】
図１０は、本発明の第１の実施の形態に係る実測を行ったときからの経過時間にも基づいて学習モデルを調整する例を説明するグラフである。この例では、生化学検査値推定部５５は、実測を行ってからの時間経過に伴って、調整された学習モデルの調整度合いを徐々に小さくする。図１０の例では、実測から所定の期間が経過した後に、学習モデルの調整度合いを小さくして、調整済み学習モデル８２を元の学習モデル８１に若干近づけて調整済み学習モデル８３としている。
【０１０２】
図１１は、本発明の第１の実施の形態に係る実測値と推定値との差分に基づいて学習モデルを調整する例を説明するグラフである。なお、ここでの推定値とは、実測と同時期に推定されて基準推定値とされる生化学検査値ではなく、そのような基準推定値に基づいて調整済み学習モデルが設定された後に、この調整済み学習モデルを用いて生化学検査値の推定を行う場合の推定値である。この推定値は、実測値近辺では、実測値を通る学習モデルを用いることで実測値を踏まえた高精度な推定が可能となるが、実測値と推定値との乖離が大きくなる場合には、実測値の影響を小さくしてもよく、逆に多数の学習データによって学習された元の学習モデルの信頼度が高くなると考えられる。
【０１０３】
そこで、生化学検査値推定部５５は、図１１に示すように、実測値から遠くなるほど元の学習データに近くなるように、学習モデル８２から学習モデル８４、学習モデル８５、学習モデル８６の順で学習モデルの調整の度合いを段階的に小さくし、最終的には元の学習モデルを採用する。
【０１０４】
図１２は、本発明の第１の実施の形態に係る実測値と推定値との差分に基づいて調整度合いが小さくなる学習モデルの例を説明するグラフである。生化学検査値推定部５５は、図１１の例に代えて、図１２に示すように、基準推測値が得られた時点で、実測値で最も元の学習モデルからの調整度合いが大きくなり、かつ、実測値から離れるほど調整度合いが小さくなるように学習モデルを調整して、調整済み学習モデル８７を設定してもよい。
【０１０５】
図１３は、本発明の第１の実施の形態に係る複数の異なる時期の実測により取得された複数の実測値に基づいて学習モデルを調整する例を示すグラフである。複数の実測値がある場合には、生化学検査値推定部５５は、それらを用いて学習モデルを調整する。例えば、年に一度の健康診断の結果（実測値）が数年にわたって蓄積されている場合には、それらの複数の実測値を用いて学習モデルを調整できる。図１３の例では、最新の実測値と最新の基準推測値との差分９１と、１年前の実測値と１年前の基準推定値との差分９２と、２年前の実測値と２年前の基準推定値との差分９３が得られている場合に、これらの差分９１〜９３の平均値を算出し、この平均値をもって元の学習モデル８１を調整し、調整済み学習モデル８８を設定する。このとき、生化学検査値推定部５５は、新しい実測値ほど重みを重くする重みづけを行った上で平均（重み平均）をとってもよい。
【０１０６】
図１４は、本発明の第１の実施の形態に係る複数回の推定によって得られた複数の生化学検査値を統計処理して基準推定値を決定する例を示すグラフである。複数の生化学検査値がある場合には、生化学検査値推定部５５は、それらを統計処理して基準推定値を調整する。統計処理としては、単純な平均処理をしてもよいし、外れ値を除外した上で平均処理をしてもよい。図１４の例では、１週間（１Ｗ）の間に８回の推定によって得られた生化学検査値のうち、外れ値９４を除外した上で平均処理して得られた１Ｗ平均値９５を基準推定値として決定する。
【０１０７】
図１５は、本発明の第１の実施の形態に係る実測値と推定値とに基づいて学習モデルにより推定された生化学検査値を調整する例を示す図である。上記の図９の例では、生化学検査値推定部５５が、実測値に基づいて学習モデル８１を調整したが、図１５の例では、実測値に基づいて、学習モデル８１により推定された生化学検査値９６を調整する。この調整を行うための調整パラメータは、上記の図１０〜１３の調整と同様に、時間の経過に従って小さくしていってよいし、実測値からの差分が大きくなるほど小さくしてよいし、複数の実測値に基づいて決定してもよい。
【０１０８】
以上のように、健康情報提供システム５０は、ユーザの体組成情報を学習モデルに入力することで、その体組成情報に対応する生化学検査値を得ることができる。この学習モデルは、実測値に基づいて調整して用いることができる。これにより、個人差によって学習モデルの推定が合わない場合にも、そのような個人差の影響を小さくできる。
【０１０９】
また、実測値に基づく学習モデルの調整は、実測を行ったときからの経過時間、実測値と推定された生化学検査値との差分、複数の異なる時期の実測により取得された複数の実測値に基づいて調整できる。これにより、時間の経過に伴って元の学習モデルに近づくように学習モデルを調整し、あるいは、実測値と推定された生化学検査値との差分が大きくなるほど元の学習モデルに近づくように学習モデルを調整し、あるいは、複数の実測値がある場合に、それらを用いて学習モデルを調整できる。
【０１１０】
さらに、健康情報提供システム５０は、複数回の推定によって得られた複数の生化学検査値を統計処理して基準推定値を決定することによって適切な基準推定値を得ることができる。すなわち、１回の生化学検査値の推定によっては正確な推定ができない場合があるが、生化学検査値の推定を複数回行うことで生体情報や体組成情報を正しく反映した生化学検査値を得ることができる。また、健康情報提供システム５０は、実測値に基づいて、学習モデルを調整するのではなく、学習モデルにより推定された生化学検査値を調整することもできる。
【０１１１】
（第２の実施の形態）
第２の実施の形態に係る健康情報提供システム５０の基本的な構成は、第１の実施の形態に係る健康情報提供システム５０の構成と同じである。ただし、第２の実施の形態に係る健康情報提供システム５０は、生化学検査値推定部５５が体組成情報と生化学検査値との関係を規定したテーブルを参照して、生化学検査値を推定する点で、第１の実施の形態に係る健康情報提供システム５０とは相違する。以下では、この相違点についてのみ説明する。
【０１１２】
生化学検査値推定部５５は、体組成情報と生化学検査値との関係を規定したテーブルを有する。生化学検査値推定部５５は、テーブルを参照して、生体情報及び体組成情報から、生化学検査値を推定する。
【０１１３】
生化学検査値推定部５５は、例えば、実測により取得したユーザの生化学検査値を実測値とし、テーブルを参照して推定された生化学検査値を基準推定値とし、この実測値とこの基準推定値とに基づいて、テーブルを参照して推定された生化学検査値を調整してよい。この調整を行うための調整パラメータも、上記の図１０〜１３の調整と同様に、時間の経過に従って小さくしていってもよいし、実測値からの差分が大きくなるほど小さくしてよいし、複数の実測値に基づいて決定してもよい。
【０１１４】
以上のように、第２の実施の形態に係る健康情報提供システム５０は、生化学検査値推定部５５が備えるテーブルを参照して生化学検査値を推定できるため、複雑な演算をしなくても簡易かつ迅速に体組成情報に対する生化学検査値を推定できる。また、実測値に基づいて、推定された生化学検査値を調整できる。
【０１１５】
（第３の実施の形態）
第３の実施の形態に係る健康情報提供システム５０の基本的な構成は、第１の実施の形態に係る健康情報提供システム５０の構成と同じである。ただし、第３の実施の形態に係る健康情報提供システム５０は、体組成取得部５４を備えず、身長・年齢・性別取得部５１で取得した身長、年齢、性別と、体重取得部５２で取得した体重と、生体インピーダンス取得部５３で取得した生体インピーダンスを含む生体情報とに基づいて生化学検査値を推定する点で、第１の実施の形態に係る健康情報提供システム５０とは相違する。以下では、この相違点についてのみ説明する。
【０１１６】
図１６は、本発明の第３の実施の形態に係る健康情報提供システムの機能的な構成を示すブロック図である。健康情報提供システム５０は、身長・年齢・性別取得部５１と、体重取得部５２と、生体インピーダンス取得部５３と、生化学検査値推定部５５と、健康リスク評価部５６と、出力部５８とを備えている。
【０１１７】
生化学検査値推定部５５は、第１の実施の形態の健康情報提供システム５０のように体組成取得部５４で算出された体組成情報に基づくことなく、身長・年齢・性別取得部５１で取得した身長、年齢、性別と、体重取得部５２で取得した体重と、生体インピーダンス取得部５３で取得した生体インピーダンスを含む生体情報とに基づいて生化学検査値を推定する。すなわち、生化学検査値推定部５５は、体組成情報を用いることなく生体インピーダンスによって生化学検査値を推定する。
【０１１８】
同様に、生化学検査値推定部５５は、第１の実施の形態の健康情報提供システム５０のように体組成取得部５４で算出された体組成情報に基づくことなく、生体インピーダンスを入力として生化学検査値を推定する学習モデルを用いて生化学検査値を推定してよい。
【０１１９】
以上のように、第３の実施の形態に係る健康情報提供システム５０は、生体インピーダンスによって生化学検査値を推定することができ、簡易に生化学検査値を推定できる。すなわち、生体インピーダンスを取得可能な装置として、体組成計ないし体組成計測機能付きの体重計を用いることができ、ユーザは、体組成を測定するのと同様の手順によって生化学検査値の推定値を得ることができる。さらに、第２の実施の形態に係る健康情報提供システム５０は、学習モデルを用いて生体インピーダンスから生化学検査値が推定できる。
【０１２０】
（第４の実施の形態）
第４の実施の形態に係る健康情報提供システム５０の基本的な構成は、第１の実施の形態に係る健康情報提供システム５０の構成と同じである。ただし、第４の実施の形態に係る健康情報提供システム５０は、生体インピーダンス取得部５３を備えず、身長・年齢・性別取得部５１で取得した身長、年齢、性別と、体重取得部５２で取得した体重と、体組成取得部５４で取得された体組成情報とに基づいて生化学検査値を推定する点で、第１の実施の形態に係る健康情報提供システム５０とは相違する。以下では、この相違点についてのみ説明する。
【０１２１】
図１７は、本発明の第４の実施の形態に係る健康情報提供システムの機能的な構成を示すブロック図である。健康情報提供システム５０は、身長・年齢・性別取得部５１と、体重取得部５２と、生化学検査値推定部５５と、健康リスク評価部５６と、出力部５８と、体組成取得部５４とを備えている。
【０１２２】
体組成取得部５４は、第１の実施の形態の健康情報提供システム５０のように生体インピーダンス取得部５３が取得する生体インピーダンスを用いることなく、外部からの入力を受け付けることにより体組成情報を取得する。
【０１２３】
取得した体組成情報は、第１の実施の形態に係る健康情報提供システム５０と同様に、生化学検査値の推定に用いられる。すなわち、生化学検査値推定部５５は、身長・年齢・性別取得部５１で取得した身長、年齢、性別、体重取得部５２で取得した体重を含む生体情報と、体組成取得部５４で取得された体組成情報とに基づいて生化学検査値を推定する。
【０１２４】
以上のように、第４の実施の形態に係る健康情報提供システム５０は、生体インピーダンスを測定する機能を備えていない場合でも、体組成情報に基づいて生化学検査値を推定できる。
【符号の説明】
【０１２５】
１０・・・計測装置
１１・・・本体部
１２・・・ハンドルユニット
１３・・・接続コード
１４・・・収容部
１５・・・ハンドル本体
１６Ｌ，Ｒ・・・グリップ
１７・・・表示パネル
１８Ａ〜Ｄ・・・操作ボタン
２０・・・ユーザ端末
５０・・・健康情報提供システム
５１・・・身長・年齢・性別取得部
５２・・・体重取得部
５３・・・生体インピーダンス取得部
５４・・・体組成取得部
５５・・・生化学検査値推定部
５６・・・健康リスク評価部
５７・・・健康アドバイス決定部
５８・・・出力部
１１１Ｌ，Ｒ・・・通電用電極
１１２Ｌ，Ｒ・・・測定用電極
１６１Ｌ，Ｒ・・・通電用電極
１６２Ｌ，Ｒ・・・測定用電極
５０１・・・入力部
５０２・・・体重測定部
５０３・・・生体インピーダンス測定部
５０４・・・記憶部
５０５・・・制御部
５０６・・・出力部
【図１】
2020162834.tif 000003
【図２】
2020162834.tif 000004
【図３】
2020162834.tif 000005
【図４】
2020162834.tif 000006
【図５】
2020162834.tif 000007
【図６】
2020162834.tif 000008
【図７】
2020162834.tif 000009
【図８】
2020162834.tif 000010
【図９】
2020162834.tif 000011
【図１０】
2020162834.tif 000012
【図１１】
2020162834.tif 000013
【図１２】
2020162834.tif 000014
【図１３】
2020162834.tif 000015
【図１４】
2020162834.tif 000016
【図１５】
2020162834.tif 000017
【図１６】
2020162834.tif 000018
【図１７】
2020162834.tif 000019